(57)【要約】【課題】  感知器の取り付け箇所の自由度を広げ、感知、警報の的確性を向上させる。【解決手段】  温度、煙または炎を感知する感知器１６を扉体３の内部に設けてなり、感知器１６は扉１の両側に位置する部屋の温度、煙または炎を感知可能なように、感知器１６の感知部に対応する扉体３の表裏面に感知用の孔が設けられる。扉１は、個別住宅や集合住宅あるいはビル、店舗などに設けられる開口部の扉、クローゼット（収納庫）、玄関収納庫、その他の収納庫や洗面化粧台などの付帯設備に使用する扉、家具、什器などの扉として使用できる。【選択図】              図１
2006002397.tif 000002
【特許請求の範囲】
【請求項１】
温度、煙、炎のうちの少なくとも一つを感知する感知器を扉体または扉枠の内部に設けてなる扉。
【請求項２】
請求項１において、前記感知器は扉の両側に位置する空間の温度、煙、炎のうちの少なくとも一つを感知可能なように形成されてなる扉。
【発明の詳細な説明】
【技術分野】
【０００１】
本発明は、住宅、ビル、店舗やその付帯設備の開口部の扉または家具、什器などの扉に関する。
【背景技術】
【０００２】
従来、火災による異常な温度上昇または煙を感知し、警報を発する感知器は、天井やその近くの壁に取り付けられることが多い。たとえば、天井に設けられている電源コンセントに取り付けるもの（特許文献１、２）や天井パネルに取り付けるもの（特許文献３）などが知られている。
【特許文献１】実開平７−４３５３１号公報
【特許文献２】実開平７−５２１６号公報
【特許文献３】登録実用新案第３０２５８８３号公報
【発明の開示】
【発明が解決しようとする課題】
【０００３】
しかしながら、従来の感知器は、天井やその近くの壁に取り付けられるので、建具や収納庫あるいは洗面化粧台などの付帯設備との関係から場所的、位置的な制約を受けるというおそれがあり、生活様式や間取りの多様化にともなって十分応えることが困難であった。
【０００４】
また、温度や煙の感知器、警報器を複数直接天井やその近くの壁に取り付けることは、他の照明機器、非常照明機器、換気装置などの取り付けと相俟て施工が煩雑であるとともに、外観上も必ずしも良いとは言えなかった。
【０００５】
本発明の課題は、感知器の取り付けの自由度を広げ、感知、警報の的確性を向上させるとともに、取り付けの施工性を向上させることである。
【課題を解決するための手段】
【０００６】
上記課題を解決するため、本発明は、温度、煙、炎のうちの少なくとも一つを感知する感知器を扉体または扉枠の内部に設けてなることを特徴とする。このようにすることにより、温度、煙、炎のうちの少なくとも一つを感知する感知器を扉体または扉枠の内部に内蔵するので、開口部に設ける扉や収納庫の扉など感知器の取り付けの自由度を広げることができる。
【０００７】
さらに、他の照明機器、非常照明装置、換気装置などの取り付けにかかわらず取り付けることができ取り付けの施工性を向上させることができる。また、感知器は目立たず扉としての意匠性を低下させることがない。
【０００８】
さらに、感知器は扉の両側に位置する空間の温度、煙、炎のうちの少なくとも一つを感知可能なように形成されると良い。このようにすると、一つの感知器で扉の両側の二つの部屋の監視を行うことができ、感知、警報の的確性を向上させることができる。
【０００９】
次に本発明を構成する各要件についてさらに詳しく説明する。本発明の扉は、扉自体およびその扉枠を含む。個別住宅や集合住宅あるいはビル、店舗などに設けられる開口部の扉、クローゼット（収納庫）、玄関収納庫、その他の収納庫や洗面化粧台などの住宅、建物の付帯設備に使用する扉、家具、什器などの扉として使用できる。
【００１０】
感知器は、温度、煙、炎のうちの少なくとも一つを感知する機器で、公知の感知器を使用することができる。感知器は、温度、煙、炎のうちの一つ、または温度と煙、温度と炎あるいは煙と炎などの二つあるいは温度、煙および炎の三つを同時に感知しても良い。さらに、感知器は警報器を併設または内蔵しても良い。
【００１１】
また、感知器は、上記開口部、付帯設備または家具、什器などの扉体や扉枠に設ける他に、付帯設備、家具、什器の場合には、その側壁に設けても良い。
【００１２】
温度を感知する感知器は、火災、その他の原因によって感知器周辺の温度が一定以上に高くなった場合の温度を感知し、たとえば熱による空気の膨張や熱によるバイメタルの変形を利用して感知する。煙を感知する感知器は、火災その他の原因によって発生する煙（燃焼生成物）を光電管などを利用して感知する。炎を感知する感知器は、たとえば炎から放射される赤外線または紫外線を感知するものである。
【００１３】
扉体は、框組み構造の扉体や芯組みに表面材を張り合わせたフラッシュ扉体などでも良い。これら扉体の内部に感知器を設け、その感知部を扉体の表裏面に位置するようにする。部屋と部屋との間に設ける扉などのように、人が通ることができ、扉体の上部が天井に近い場合は、扉体の上部、たとえば上横框などに感知器を設ける。この場合、感知器と天井との距離は、凡そ５００ｍｍ以内に取り付けると良い。感知器と天井との距離が凡そ５００ｍｍ以内であれば、煙や炎を感知しやすい。扉体の材質は、木質系、合成樹脂系、金属系、ガラス系、またはその他の無機質系などの材料を用いることができる。
【００１４】
扉の両側に位置する空間は、部屋（室）と部屋（室）、部屋と廊下などで、部屋しては、居間、台所、食堂、玄関、便所、脱衣所、洗面所などである。扉の両側に位置する空間の温度、煙、炎などを感知できるようにするためには、感知器の感知部が位置する扉の表裏面に一つまたは複数の孔を設けると良い。この一つまたは複数の孔から熱や煙または炎の赤外線、紫外線などを感知するようにする。
【発明の効果】
【００１５】
本発明によれば、感知器の取り付けの自由度を広げ、感知、警報の的確性を向上させるとともに、取り付けの施工性を向上させることができる。
【発明を実施するための最良の形態】
【００１６】
以下、本発明に係る扉の実施例を図面に基づいて詳細に説明する。なお、図１〜８において、同一または同等部分には同一符号を付けて示す。
【実施例１】
【００１７】
図１は、本発明に係る扉の第１実施例を示す正面図である。第１実施例の扉１は、主に個別住宅や集合住宅あるいはビル、店舗などの開口部２０に設けられる。開口部２０は、天井４９と床５１との間の壁５３を貫通するように形成され、扉１は、この開口部２０に扉枠２１を設け、さらに扉枠２１の縦枠に三つの丁番１２を介して扉体３を水平面内で回転可能に取り付けたものである。
【００１８】
扉体３は、框組み構造で、左右縦框５ａ、５ｂおよび上下横框６ａ、６ｂと、これら框組みされた内側開口部に設けられた鏡板８とを有する。鏡板８の中央にはガラス板９が設けられている。また、扉体３の正面視左側の縦框５ａには取手１０が設けられる。扉体３の主材質は、木質系とガラス板である。なお、図１において、符号５５は幅木、符号５７は回り縁である。
【００１９】
図２は、図１におけるＡ−Ａ線断面図である。感知器１６は、扉体の上横框６ａ内部に設けられ、扉１の両側に位置する部屋（空間）１８ａ、１８ｂの温度、煙または炎を感知可能なように形成される。部屋１８ａまたは部屋１８ｂは、たとえば居間、寝室、台所、食堂、便所、脱衣所、洗面所、玄関などである。なお、図２において、符号２２は戸当りである。
【００２０】
感知器１６が扉１の両側の二つ部屋１８ａ、１８ｂの温度、煙または炎を感知可能にするために、上横框６ａの内部に内蔵された感知器１６は、扉体３の厚み方向（図２の左右方向）中央面１５に対して左右面対称になるように形成され、かつ内蔵される。
【００２１】
さらに、感知器１６が部屋１８ａ、１８ｂの温度、煙、炎などを感知できるようにするために、感知器１６の感知部に対応する扉体の表裏面に、一つまたは複数の孔を設ける。感知部は、この一つまたは複数の孔から熱や煙または炎の赤外線、紫外線などを検知する。また、感知器１６は警報器を併設または内蔵しても良い。
【００２２】
温度を感知する感知器の場合は、火災、その他の原因によって感知器１６周辺の温度が一定温度以上に高くなったときに、この温度上昇による空気の膨張やバイメタルの変形を利用して温度を感知する。煙を感知する感知器の場合は、火災その他の原因によって発生する煙（燃焼生成物）を光電管などを利用して感知する。炎を感知する感知器の場合は、炎から放射される赤外線または紫外線を感知する。
【００２３】
以上の構造を有する第１実施例の扉１は、次のように作用する。すなわち、温度、煙または炎を感知する感知器１６を扉１の内部に設けるので、開口部に設ける扉や収納庫の扉など感知器１６の取り付けの自由度を広げることができる。
【００２４】
さらに、他の照明機器、非常照明装置、換気装置などの取り付けにかかわらず取り付けることができ、取り付けの施工性を向上させることができる。また、扉体の内部に設ける感知器１６は目立たず扉としての意匠性を低下させることがない。さらに、一つの感知器１６で扉の両側の二つの部屋の監視を行うことができ、感知、警報の的確性を向上させることができる。
【実施例２】
【００２５】
図３は、本発明に係る扉の第２実施例を示す正面図である。第２実施例の扉は、感知器１６をクローゼット２４の扉（クローゼット扉２５）に設けた場合である。クローゼット２４は、天井４９と床５１との間に扉枠３１を設け、この扉枠３１にクローゼット扉２５を取り付けて、内部に各種物品を収納できるようにしたものである。クローゼット扉２５は、中央を境に左右別々に折り曲げ可能になっており、取手３３により開閉可能である。感知器１６は、クローゼット扉２５の天井４９側の隅に設けられる。
【００２６】
図４は、図３におけるＢ−Ｂ線断面図である。クローゼット扉２５は、収納室である部屋１８ａと居間などの部屋１８ｂとを仕切っており、部屋１８ａは、物品を収納する収納室であり、部屋１８ｂは、たとえば居間、寝室、台所、食堂、玄関などである。扉枠の上枠３２には、その長手方向に沿ってレール２９が設けられている。レール２９の断面形状は、異形コの字形で開口部の両側に懸垂用の円弧状車輪転動片２７を有する。
【００２７】
一方、クローゼット扉２５は、その上木口に吊り（懸垂）用の吊り金具２６が設けられる。吊り金具２６は、左右に回転自在な一対の車輪２６ａを有し、この車輪２６ａがレール２９の円弧状車輪転動片２７上を転動しクローゼット扉２５は走行する。
【００２８】
感知器１６は、クローゼット扉２５の両側の二つ部屋１８ａ、１８ｂの温度、煙または炎を感知可能にするために、扉体の厚み方向（図４の左右方向）中央面１５に対して左右面対称になるように設けられる。感知器１６の感知部は、その位置に相当するクローゼット扉２５の表裏面に、複数の孔２８が設けられる。これらの複数の孔２８から熱や煙または炎の赤外線、紫外線などを感知する。
【００２９】
第２実施例の扉は、温度、煙または炎を感知する感知器１６をクローゼット扉２５の上部に内蔵するので、感知器１６の取り付けの自由度を広げることができる。さらに、他の照明機器、非常照明装置、換気装置などの取り付けにかかわらず取り付けることができ取り付けの施工性を向上させることができる。
【００３０】
また、感知器１６は目立たず扉としての意匠性を低下させることがない。さらに、一つの感知器１６で扉の両側の二つの部屋の監視を行うことができ、感知、警報の的確性を向上させることができる。なお、図３、４におけるその他の構造と作用は、図１、２に示した第１実施例の扉と同じであるので、その説明を省略する。
【実施例３】
【００３１】
図５は、本発明に係る扉の第３実施例を示す正面図である。第３実施例の扉は、洗面化粧台３５に関するものである。洗面化粧台３５は、洗面ボール３８を有するカウンター３７と、このカウンター３７を支えるキャビネット４０と、カウンター３７の背面側に位置するとともに壁５３（図６）に固定されるミラーキャビネット４４とを備える。さらに、洗面化粧台３５は、ミラーキャビネット４４の上に設けられる照明装置４２と、この照明装置４２の上に配置されるウォールキャビネット４６とを備える。
【００３２】
ウォールキャビネット４６は、その全面に三つのウォールキャビネット扉体４７ａ、４７ｂ、４７ｃを有する。このうちウォールキャビネット扉体４７ａには感知器１６が取り付けられる。
【００３３】
図６は、図５の右側面図である。ウォールキャビネット扉体４７ａは、収納室側の部屋１８ａと居間などの部屋１８ｂとを仕切っており、部屋１８ａは、物品を収納する収納室であり、部屋１８ｂは、たとえば洗面室、脱衣室などである。
【００３４】
感知器１６は、ウォールキャビネット扉体４７ａの外側と裏側に感知器の感知部が向いている。部屋１８ａまたは部屋１８ｂの温度、煙、炎などを感知できるように感知器１６の感知部は、その位置に相当するウォールキャビネット扉体４７ａの表裏面に、複数の孔４８を設ける。これらの複数の孔４８から熱や煙または炎の赤外線、紫外線などを検知する。
【００３５】
第３実施例の扉は、温度、煙または炎を感知する感知器１６を天井に近いウォールキャビネット扉体４７ａに取り付けるので、感知器１６を天井近くに設置することができ、かつ感知器１６の取り付けの自由度を広げることができる。さらに、他の照明機器、非常照明装置、換気装置などの取り付けにかかわらず取り付けることができ取り付けの施工性を向上させることができる。また、感知器１６は目立たず扉としての意匠性を低下させることがない。
【００３６】
さらに、一つの感知器１６で扉の両側の二つの部屋の監視を行うことができ、感知、警報の的確性を向上させることができる。なお、図５、６におけるその他の構造と作用は、図１、２に示した第１実施例の扉と同じであるので、その説明を省略する。
【実施例４】
【００３７】
図７は、本発明に係る扉の第４実施例を示す正面図である。第４実施例の扉は、感知器１６を扉枠２１の上枠２３に設けた場合である。感知器１６は、上枠２３の右側寄りに設けられる。
【００３８】
図８は、図７におけるＣ−Ｃ線断面図である。扉１は、部屋１８ａと部屋１８ｂとを仕切っているが、第１実施例の扉で説明したように、部屋１８ａ、１８ｂは、たとえば居間、寝室、台所、食堂、玄関などである。第４実施例の感知器１６は、扉枠の上枠２３に内蔵されている。
【００３９】
さらに、感知器１６は、扉の両側の二つ部屋１８ａ、１８ｂの温度、煙または炎を感知可能にするために、扉枠２３の厚み方向（図８の左右方向）中央面１５に対して左右面対称になるように設けられている。そして、感知器１６は、温度、煙または炎を感知する感知部１６ａと、感知部１６ａが感知した信号を受けて火災であるかどうかを判断し、警報器などに信号を送るコントローラ１６ｂと、感知部１６ａとコントローラ１６ｂとを連結する信号線１６ｃと、コントローラ１６ｂから引き出され警報器に連結される信号線１６ｄとを有する。
【００４０】
さらに、感知器１６は、これら感知部１６ａ、コントローラ１６ｂおよび信号線１６ｃを収納するケース１７ａ、１７ｂを有する。ケース１７ａは、断面略Ｔ字状に形成され、一方向線上に二つの筒状袖部を有する。ケース１７ｂは、その後端側がケース１７ａの筒状袖部に摺動可能に嵌合し、先端側が複数の孔を有する端面となっており、先端側の内側に感知部１６ａが収納されている。ケース１７ｂの先端面は、上枠２３の表裏木口２３ａ、２３ｂに対して面一に設けられる。ケース１７ａとケース１７ｂが伸縮可能に形成されることにより、扉枠の幅Ｗが数種類あっても一つの感知器で対応できる。
【００４１】
第４実施例の扉は、温度、煙または炎を感知する感知器１６を扉枠の上枠２３の内部に内蔵するので感知器１６を天井近くに設置でき、かつ感知器１６の取り付けの自由度を広げることができる。さらに、他の照明機器、非常照明装置、換気装置などの取り付けにかかわらず取り付けることができ取り付けの施工性を向上させることができる。また、感知器１６は目立たず扉枠としての意匠性を低下させることもない。さらに、一つの感知器１６で扉の両側の二つの部屋の監視を行うことができ、感知、警報の的確性を向上させることができる。なお、図７、８におけるその他の構造と作用は、図１、２に示した第１実施例の扉と同じであるので、その説明を省略する。
【００４２】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００４３】
本発明の扉は、個別住宅や集合住宅あるいはビル、店舗などに設けられる開口部の扉、クローゼット、収納庫や洗面化粧台などの付帯設備の扉、家具、什器などの扉に利用可能である。
【図面の簡単な説明】
【００４４】
【図１】本発明に係る扉の第１実施例を示す正面図である。
【図２】図１におけるＡ−Ａ線断面図である。
【図３】本発明に係る扉の第２実施例を示す正面図である。
【図４】図３におけるＢ−Ｂ線断面図である。
【図５】本発明に係る扉の第３実施例を示す正面図である。
【図６】図５の右側面図である。
【図７】本発明に係る扉の第４実施例を示す正面図である。
【図８】図７におけるＣ−Ｃ線断面図である。
【符号の説明】
【００４５】
１  扉
３  扉体
１６  感知器
１６ａ  素子
１６ｂ  コントローラ
１６ｃ  信号線
１７ａ、１７ｂ  ケース
１８ａ、１８ｂ  部屋（扉の両側に位置する空間）
２１  扉枠
２３  上枠
２４  クローゼット
２５  クローゼット扉（扉）
３５  洗面化粧台
４６  ウォールキャビネット
４７ａ  ウォールキャビネット扉体
【図１】
2006002397.tif 000003
【図２】
2006002397.tif 000004
【図３】
2006002397.tif 000005
【図４】
2006002397.tif 000006
【図５】
2006002397.tif 000007
【図６】
2006002397.tif 000008
【図７】
2006002397.tif 000009
【図８】
2006002397.tif 000010